(57)【特許請求の範囲】
【請求項１】
所定の通信範囲内をカバーするように配置され、少なくとも低波帯で通信を行う第１アンテナと、
前記所定の通信範囲内をカバーするように配置され、高波帯で通信を行う複数の第２アンテナとを備え、
前記第１アンテナ及び前記第２アンテナと前記所定の通信範囲内にある移動端末との間で低波帯と高波帯を用いたキャリアアグリゲーションにより通信を行うための分散アンテナシステムであって、
前記所定の通信範囲内の通信を行う基地局に設けられたＢＢモジュールと、前記第１アンテナ及び前記複数の第２アンテナで扱う高周波信号と前記ＢＢモジュールで扱うベースバンド信号とを相互に変換する複数のＲＦモジュールと、を有し、
１つの前記ＢＢモジュールに対して、それぞれＲＦモジュールを介して前記第１アンテナと前記複数の第２アンテナを接続し、
前記ＢＢモジュールは、Ｌ２／Ｌ３処理部と、当該Ｌ２／Ｌ３処理部に並列に接続された複数のベースバンド処理部とを有し、
前記Ｌ２／Ｌ３処理部は、入力された送信データを、通信条件に基づき前記複数のベースバンド処理部から選択されたベースバンド処理部に出力し、
前記ベースバンド処理部は、前記Ｌ２／Ｌ３処理部から入力された送信データを変調し、ベースバンド信号として前記ＲＦモジュールに伝送し、
前記通信条件は、送信データの優先度、前記第２アンテナの数、前記ＲＦモジュールの数、前記第１アンテナと前記第２アンテナと前記ＲＦモジュールとの対応する周波数帯の情報、移動端末が通信可能なアンテナとそれに接続されているＲＦモジュールの情報、及び対応する周波数帯でのチャネルの情報の少なくとも一つを含み、
前記低波帯及び前記高波帯の周波数が前記第１アンテナ及び前記複数の第２アンテナと前記移動端末との間で利用可能な場合に、前記Ｌ２／Ｌ３処理部は、前記低波帯及び前記高波帯の周波数に対応した前記ＲＦモジュールに接続されている複数のベースバンド処理部を選択して、送信データを移動端末に送信する
ことを特徴とする分散アンテナシステム。
【請求項２】
前記ＲＦモジュールと前記ＢＢモジュールは、光ファイバで接続される請求項１に記載の分散アンテナシステム。
【請求項３】
キャリアアグリゲーションによる通信は、前記ＢＢモジュールが低波帯と高波帯の信号を一括して処理することで行われる請求項１又は２に記載の分散アンテナシステム。
【請求項４】
前記ベースバンド処理部は、前記ＢＢモジュールが接続されるＲＦモジュールと同じ数またはそれより多く設けられる請求項１〜３の何れかに記載の分散アンテナシステム。
【発明の詳細な説明】
【技術分野】
【０００１】
本発明は、アンテナと移動端末との間で低波帯と高波帯を用いたキャリアアグリゲーションにより通信を行うための分散アンテナシステムに関するものである。
【背景技術】
【０００２】
移動体通信システムには、例えば、８００ＭＨｚ帯と２ＧＨｚ帯のように複数の周波数帯を利用する基地局、移動端末が存在する。
【０００３】
図４に示すように、複数の周波数帯を利用する基地局は、１つのアンテナ２０に、８００ＭＨｚ帯用の無線システム２１ａと２ＧＨｚ帯用の無線システム２１ｂとが接続されている。無線システム２１ａ，２１ｂは、それぞれＲＦモジュール２２ａ，２２ｂとＢＢモジュール２３ａ，２３ｂとを備える。各ＲＦモジュール２２ａ，２２ｂでは、アンテナ２０で扱う高周波（Ｒａｄｉｏ  Ｆｒｅｑｕｅｎｃｙ：ＲＦ）信号とＢＢモジュール２３ａ，２３ｂで扱うベースバンド（Ｂａｓｅ  Ｂａｎｄ：ＢＢ）信号とを相互に変換している。
【０００４】
この移動体通信システムでは、例えば、常時は８００ＭＨｚ帯を利用して通信を行い、８００ＭＨｚ帯が混雑したときに利用周波数を２ＧＨｚ帯に切り替えて通信を行うことがなされている。
【０００５】
周波数帯の切り替えは、８００ＭＨｚ帯用の無線システム２１ａと２ＧＨｚ帯用の無線システム２１ｂのうち任意の１つの無線システム２１ａ（又は２１ｂ）に状況に応じて切り替えることにより行っている。
【０００６】
ところで、異なる周波数帯では、伝送損失が異なり、高波帯である２ＧＨｚ帯の電波は、低波帯である８００ＭＨｚ帯の電波に比べて通信範囲が狭いため、特に低波帯の通信範囲のセルエッジには高い周波数が届きにくい。
【０００７】
そこで、低波帯の通信範囲内をカバーするように、複数の高波帯用のアンテナを配置して、所定の通信範囲内の何処においても低波帯と高波帯の両方で通信ができるような分散アンテナシステムを構築することが行われている。
【０００８】
複数の高波帯用のアンテナの配置は、先ず各所に基地局を配置し、その各基地局にあるＢＢモジュールにＲＦモジュールを介して高波帯用のアンテナを接続することで行っている。
【０００９】
なお、特許文献１，２には、広い通信範囲の基地局と、この広い通信範囲をカバーする狭い通信範囲の複数の基地局とを備え、移動体の通信速度又は移動速度に応じて、広い通信範囲の基地局と狭い通信範囲の基地局の何れかを選択する通信方式が記載されている。
【先行技術文献】
【特許文献】
【００１０】
【特許文献１】特開２０００−２３２３８号公報
【特許文献２】特開平６−９０１９８号公報
【非特許文献】
【００１１】
【非特許文献１】ＩＥＥＥ  ＣＯＭ  ＭＡＧ、「Ｃａｒｒｉｅｒ  Ａｇｇｒｅｇａｔｉｏｎ  ｆｏｒ  ＬＴＥ−Ａｄｖａｎｃｅｄ  Ｍｏｂｉｌｅ  Ｃｏｍｍｕｎｉｃａｔｉｏｎ  Ｓｙｓｔｅｍｓ」、２０１０年２月
【発明の概要】
【発明が解決しようとする課題】
【００１２】
ところで、現在、標準化団体である３ＧＰＰによる標準化では、キャリアアグリゲーション（Ｃａｒｒｉｅｒ  Ａｇｇｒｅｇａｔｉｏｎ：ＣＡ）と言う技術が議論されている。キャリアアグリゲーションとは、複数の周波数帯に跨って帯域を確保して、それを同時に用いることでスループットの向上を目指す技術である。
【００１３】
このキャリアアグリゲーションにより通信を行うには、複数の周波数帯を同時に扱う必要があるが、従来の分散アンテナシステムでは、各アンテナがそれぞれ別の基地局のＢＢモジュールに接続されており、基地局間での連携が行えず、キャリアアグリゲーションによる通信を行うのは困難であった。
【００１４】
キャリアアグリゲーションに対応するためには、これに対応した新たな分散アンテナシステムを構築することが考えられるが、この方法では現在の設備を無駄にしてしまう。
【００１５】
そこで、本発明の目的は、現在の設備に対して少しの変更を加えるだけで、アンテナと移動端末との間で低波帯と高波帯を用いたキャリアアグリゲーションにより通信を行うことができる分散アンテナシステムを提供することにある。
【課題を解決するための手段】
【００１６】
本発明は上記目的を達成するために創案されたものであり、所定の通信範囲内をカバーするように配置され、少なくとも低波帯で通信を行う第１アンテナと、前記所定の通信範囲内をカバーするように配置され、高波帯で通信を行う複数の第２アンテナとを備え、前記第１アンテナ及び前記第２アンテナと前記所定の通信範囲内にある移動端末との間で低波帯と高波帯を用いたキャリアアグリゲーションにより通信を行うための分散アンテナシステムであって、前記所定の通信範囲内の通信を行う基地局に設けられたＢＢモジュールと、前記第１アンテナ及び前記複数の第２アンテナで扱う高周波信号と前記ＢＢモジュールで扱うベースバンド信号とを相互に変換する複数のＲＦモジュールと、を有し、１つの前記ＢＢモジュールに対して、それぞれＲＦモジュールを介して前記第１アンテナと前記複数の第２アンテナを接続し、前記ＢＢモジュールは、Ｌ２／Ｌ３処理部と、当該Ｌ２／Ｌ３処理部に並列に接続された複数のベースバンド処理部とを有し、前記Ｌ２／Ｌ３処理部は、入力された送信データを、通信条件に基づき前記複数のベースバンド処理部から選択されたベースバンド処理部に出力し、前記ベースバンド処理部は、前記Ｌ２／Ｌ３処理部から入力された送信データを変調し、ベースバンド信号として前記ＲＦモジュールに伝送し、前記通信条件は、送信データの優先度、前記第２アンテナの数、前記ＲＦモジュールの数、前記第１アンテナと前記第２アンテナと前記ＲＦモジュールとの対応する周波数帯の情報、移動端末が通信可能なアンテナとそれに接続されているＲＦモジュールの情報、及び対応する周波数帯でのチャネルの情報の少なくとも一つを含み、前記低波帯及び前記高波帯の周波数が前記第１アンテナ及び前記複数の第２アンテナと前記移動端末との間で利用可能な場合に、前記Ｌ２／Ｌ３処理部は、前記低波帯及び前記高波帯の周波数に対応した前記ＲＦモジュールに接続されている複数のベースバンド処理部を選択して、送信データを移動端末に送信する分散アンテナシステムである。
【００１７】
前記ＲＦモジュールと前記ＢＢモジュールは、光ファイバで接続されると良い。
【００１８】
キャリアアグリゲーションによる通信は、前記ＢＢモジュールが低波帯と高波帯の信号を一括して処理することで行われると良い。
【００２１】
前記ベースバンド処理部は、前記ＢＢモジュールが接続されるＲＦモジュールと同じ数またはそれより多く設けられると良い。
【発明の効果】
【００２３】
本発明によれば、現在の設備に対して、少なくともＢＢモジュールのＬ２／Ｌ３処理部を変更することで、アンテナと移動端末との間で低波帯と高波帯を用いたキャリアアグリゲーションにより通信を行うことができる分散アンテナシステムを提供することができる。
【図面の簡単な説明】
【００２４】
【図１】本発明の一実施の形態に係る分散アンテナシステムを示す概念図である。
【図２】本発明の一実施の形態に係るＢＢモジュールを説明する説明図である。
【図３】本発明の一実施の形態に係るＲＦモジュールを説明する説明図である。
【図４】従来の移動体通信システムを示す概念図である。
【図５】（ａ），（ｂ）はキャリアアグリゲーションを説明する図である。
【発明を実施するための形態】
【００２５】
以下、本発明の好適な実施の形態を添付図面にしたがって説明する。
【００２６】
先ず、キャリアアグリゲーションについて説明する。
【００２７】
キャリアアグリゲーションには、図５（ａ）に示すように、連続した周波数帯Ａ，Ｂ，Ｃのキャリアを同時に用いる方法や、図５（ｂ）に示すように、非連続な周波数帯Ａ，Ｂ，Ｃを同時に用いる方法がある。
【００２８】
これらどの方法においても、複数の周波数帯に跨って帯域を確保して、それを同時に用いることでスループットの向上を目指すことを目的としている。キャリアアグリゲーションでは、複数の周波数帯に跨って帯域を確保するので、各周波数帯間における信号処理の連携が必須である。
【００２９】
ところが、現在の分散アンテナシステムは、低波帯用のアンテナの通信範囲内をカバーするように各所に設けられた基地局に、複数の高波帯用のアンテナを配置することで、所定の通信範囲内で利用周波数帯を状況によって切り替えることができるように構成されているのみである。つまり、近年提案されているキャリアアグリゲーションでは、複数の周波数帯を同時に用いるが、現在の分散アンテナシステムでは、複数の周波数帯を切り替えて使用することはできるものの、複数の周波数帯を同時に用いることはできない。
【００３０】
その理由は、各所に設けられた基地局にそれぞれＢＢモジュールを設け、このＢＢモジュールにＲＦモジュールを介して高波帯用のアンテナを接続しているため、各基地局のＢＢモジュールは、別個の物であり、これらＢＢモジュール同士で連携することができないからである。
【００３１】
本発明者は、この問題を解決すべく鋭意検討を重ねた結果、現在の構成を活かしつつ、キャリアアグリゲーションに対応した分散アンテナシステムを発明するに至った。
【００３２】
図１は、本発明の好適な実施の形態に係る分散アンテナシステムを示す概念図である。
【００３３】
本発明者が提案する新たな分散アンテナシステム１は、所定の通信範囲Ｓ内をカバーするように配置され、低波帯と高波帯の両方で通信を行う第１アンテナ２と、所定の通信範囲Ｓ内をカバーするように配置され、高波帯で通信を行う複数の第２アンテナ（高波帯用のアンテナ）３とを備える。この構成は、従来の分散アンテナシステムと同様であり、新たな設備を構築する必要はない。なお、図１では、第２アンテナ３は、簡略化のため２つ（３ａ，３ｂ）のみ記載した。また、本実施の形態では、第１アンテナ２は、低波帯と高波帯の両方で通信を行うものとしたが、少なくとも低波帯で通信を行うことができれば良い。
【００３４】
第１アンテナ２は、低波帯（例えば、８００ＭＨｚ帯）と高波帯（例えば、２ＧＨｚ帯）の両方で通信を行えるように構成されている。そのため、第１アンテナ２には、低波帯用のＲＦモジュール５ａと、高波帯用のＲＦモジュール５ｂとが接続されている。なお、第１アンテナ２は、低波帯のみで通信を行うような低波帯用のアンテナであっても良い。
【００３５】
第２アンテナ３は、第１アンテナ２の低波帯の通信範囲をカバーするように複数カ所に配置される。例えば、低波帯が８００ＭＨｚ帯、高波帯が２ＧＨｚ帯の場合、低波帯の通信範囲（通信可能面積）の方が高波帯の通信範囲（通信可能面積）よりも４倍程度広いので、その低波帯の通信範囲（通信可能面積）全体をカバーするように複数の第２アンテナ３が配置される。第２アンテナ３には、それぞれ高波帯用のＲＦモジュール６が接続されている。
【００３６】
これら各アンテナ２，３とＲＦモジュール５ａ，５ｂ，６とは、例えば、同軸ケーブル８により接続され、信号の劣化が少なくなるように、これらＲＦモジュール５ａ，５ｂ，６は各アンテナ２，３の近傍（直下）に配置される。
【００３７】
この分散アンテナシステム１は、第１アンテナ２及び第２アンテナ３と所定の通信範囲Ｓ内にある移動端末Ｍ1又はＭ2との間で低波帯と高波帯を用いたキャリアアグリゲーションにより通信を行うためのものであり、所定の通信範囲Ｓ内の通信を行う基地局Ｂに設けられたＢＢモジュール４を有し、その１つのＢＢモジュール４に対して、それぞれＲＦモジュール５ａ，５ｂ，６を介して第１アンテナ２と複数の第２アンテナ３を接続したことを特徴とする。ＲＦモジュール５ａ，５ｂ，６は、第１アンテナ２及び第２アンテナ３で扱う高周波信号とＢＢモジュール４で扱うベースバンド信号とを相互に変換する。また、ＢＢモジュール４は、ネットワーク側で扱うデータ（送信データ及び受信データ）をベースバンド信号に変調したり、ネットワーク側で扱うデータに復調したりする。
【００３８】
分散アンテナシステム１では、各所にあるＲＦモジュール５ａ，５ｂ，６を１つのＢＢモジュール４に集約して接続することとなるため、必然的にＲＦモジュール５ａ，５ｂ，６とＢＢモジュール４間の距離が長くなる。そのため、ＲＦモジュール５ａ，５ｂ，６とＢＢモジュール４は、光ファイバ７で接続されることが好ましい。これにより、ＲＦモジュール５ａ，５ｂ，６とＢＢモジュール４とが、離れた場所にあっても信号を劣化させることなく通信を行うことができる。
【００３９】
次に、分散アンテナシステム１の動作を説明する。
【００４０】
この分散アンテナシステム１を用いた移動体通信システムにおいて、所定の通信範囲Ｓ内にある移動端末Ｍ1で通信を行う場合を考える。移動端末Ｍ1は、第２アンテナ３ａの通信範囲に属すると共に、第１アンテナ２の通信範囲に属している。
【００４１】
この場合、移動端末Ｍ1は、第１アンテナ２と第２アンテナ３ａとを用いてキャリアアグリゲーションによる通信を行う。図２、３を用いて基地局ＢのＢＢモジュール４とＲＦモジュール５，６の構成と処理手順について説明する。ここでは、空間多重方式に２ストリームのＭＩＭＯを用い、変調方式にＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｔｉｎｇ）を用いた場合の構成と処理手順を示す。ただし、ＭＩＭＯの適用の有無やＭＩＭＯのストリーム数は変えることが可能である。また、他の変調方式を用いても可能である。
【００４２】
図２は、本実施の形態に係るＢＢモジュール４を説明する説明図である。また、図３は、本実施の形態に係るＲＦモジュール５，６を説明する説明図である。図２に示されるように、ＢＢモジュール４は、Ｌ２／Ｌ３処理部４６と、Ｌ２／Ｌ３処理部４６に並列に接続された複数のベースバンド処理部４０とを有する。
【００４３】
送信系に関しては、Ｌ２／Ｌ３処理部４６は、通信キャリアのネットワーク側から入力された送信データを、通信条件に基づき複数のベースバンド処理部４０から選択されたベースバンド処理部４０に出力する送信処理部４６４を有する。通信条件としては、例えば、送信データの優先度、第２アンテナ３の数、ＲＦモジュール５，６の数、第１アンテナ２、第２アンテナ３、及びＲＦモジュール５，６の対応する周波数帯の情報などがある。Ｌ２／Ｌ３処理部４６は、上記の通信条件に基づき、送信データを送出する周波数帯や、アンテナ、符号化率、変調方式を決め、複数のベースバンド処理部４０にデータを送出する。さらに、Ｌ２／Ｌ３処理部４６は、先に送信したデータが移動端末に伝わらなかった場合に、正しく送信できなかった（受信されなかった）との情報に基づき、再送制御を行うこともできる。また、複数のベースバンド処理部４０は、Ｌ２／Ｌ３処理部４６から入力された送信データを変調し、ベースバンド信号としてＣＰＲＩインタフェース４１（Ｃｏｍｍｏｎ  Ｐｕｂｌｉｃ  Ｒａｄｉｏ  Ｉｎｔｅｒｆａｃｅ）を介してＲＦモジュール５、６に伝送する機能を有する。複数のベースバンド処理部４０は、それぞれ光ファイバ７に接続されている。ベースバンド処理部４０は、ＢＢモジュール４が接続されるＲＦモジュール５，６と同じ数だけ設けられる。
【００４４】
一方、受信系に関しては、複数のベースバンド処理部４０は、ＲＦモジュール５，６からＣＰＲＩインタフェース４１を介して伝送されたベースバンド信号を復調し、受信データに変換する。Ｌ２／Ｌ３処理部４６は、複数のベースバンド処理部４０から入力された受信データからチャネルの情報を取得すると共に、ネットワーク側に受信データを伝送する受信処理部４６８を有する。Ｌ２／Ｌ３処理部４６は、さらに、受信された受信データが正しく受信できたか判定したり、先に送信したデータが正しく受信されたか否かを示す情報を取得したりすることもできる。なお、受信データから取得されたチャネルの情報は、送信系における通信条件として用いることができる。
【００４５】
まず、送信系について、Ｌ２／Ｌ３処理部４６の動作を詳細に示す。ＢＢモジュール４に入力された送信データは、Ｌ２／Ｌ３処理部４６に入力される。Ｌ２／Ｌ３処理部４６は、送信データバッファ４６１、送信処理部４６４、基地局構成情報４６５、スケジューラ４６６、チャネル情報４６７、受信処理部４６８、及び受信データバッファ４６９を備えている。
【００４６】
送信データバッファ４６１は、入力された送信データを保存し、データの優先度に応じて分類する。本実施の形態において、送信データバッファ４６１は、音声などの低遅延が要求される優先データ４６２と、遅延に対する要求が厳しくないベストエフォートデータ４６３とに送信データを分類し、送信処理部４６４に送信する。これと同時に、送信データバッファ４６１は、送信データの種類や宛先の移動端末の情報をスケジューラ４６６に伝える。
【００４７】
スケジューラ４６６は、アンテナ及びＲＦモジュールの数やそれらの対応する周波数帯の情報が格納されている基地局構成情報４６５と、受信データから得られたチャネルの情報が格納されているチャネル情報４６７と、上記送信データの優先度との３つの通信条件から、送信データをどのＲＦモジュールとアンテナから送信するかを判断する。送信処理部４６４は、スケジューラ４６６での判断に基づき、送出する周波数帯や、アンテナ、符号化率、変調方式を決め、送信データを分配してそれぞれベースバンド処理部４０に伝送する。例えば、ある移動端末に求められるスループットが大きい場合に、複数の周波数が基地局とその移動端末間で利用可能であれば、送信データを複数の周波数帯に割り当てる。この場合、Ｌ２／Ｌ３処理部４６は、異なる周波数に対応したＲＦモジュール５，６に接続されている複数のベースバンド処理部４０を選択して、送信データを移動端末に送信する。ここで、チャネル情報４６７には、移動端末が通信可能なアンテナ（例えば、第２アンテナ３）とそれに接続されているＲＦモジュール（例えば、ＲＦモジュール６）の情報と、それに対応する周波数帯でのチャネルの情報とを含む。
【００４８】
Ｌ２／Ｌ３処理部４６から伝送された送信データは、ベースバンド処理部４０の変復調部４５に入力される。変復調部４５は、誤り訂正符号化部４５１と変調部４５２とを有し、入力されたデータを誤り訂正符号化部４５１で誤り訂正符号化すると共に、誤り訂正符号化したデータを変調部４５２で変調し、ＳＤＭ変換部４３（Ｓｐａｃｉａｌ  Ｄｉｖｉｓｉｏｎ  Ｍｕｌｔｉｐｌｅｘｉｎｇ）に出力する。変調部４５２における変調方式としては、例えば、ＱＰＳＫ（Ｑｕａｄｒａｔｕｒｅ  Ｐｈａｓｅ  Ｓｈｉｆｔ  Ｋｅｙｉｎｇ）や１６ＱＡＭ（Ｑｕａｄｒａｔｕｒｅ  Ａｍｐｌｉｔｕｄｅ  Ｍｏｄｕｌａｔｉｏｎ）を用いることが可能である。なお、変復調部４５は、１つのベースバンド処理部４０に２つ設けられており、それぞれの変復調部４５で、上記のデータ処理が行われる。
【００４９】
ＳＤＭ変換部４３は、１つのベースバンド処理部４０の２つの変復調部４５から入力された２つの信号を、ＭＩＭＯ伝送するために、振幅、位相を変換・合成し、新たな２つの信号を生成する。ＳＤＭ変換部４３は、生成された２つの信号をそれぞれ２つのＯＦＤＭ処理部４２に出力する。ＯＦＤＭ処理部４２は、それぞれＩＦＦＴ処理部４２１とサイクリックプレフィックス付加部４２２とを有し、入力されたデータをＩＦＦＴ処理部４２１でＩＦＦＴ変換（逆高速フーリエ変換）すると共に、サイクリックプレフィックス付加部４２２でサイクリックプレフィックスを付加し、ＣＰＲＩインタフェース４１に出力する。ＣＰＲＩインタフェース部４１は、２つのＯＦＤＭ処理部４２から入力された信号をシリアル化し、光ファイバ７を介してＲＦモジュール５（５ａ，５ｂ），６に伝送する。
【００５０】
ＲＦモジュール５，６は、光ファイバ７に接続されたＣＰＲＩインタフェース５２と、ＣＰＲＩインタフェース５２に並列に接続された複数のＲＦ部５０とを有する。ＣＰＲＩインタフェース５２は、ＢＢモジュール４から光ファイバ７で伝送されたベースバンド信号を電気信号に変換した上で、第１のＲＦ部５０ａ用の信号と第２のＲＦ部５０ｂ用の信号に振り分ける。第１のＲＦ部５０ａは、振り分けられた電気信号をデジタル／アナログコンバータ５０１でアナログ信号に変換し、アップコンバータ５０２で高周波信号に変換する。さらに、第１のＲＦ部５０ａは、高周波信号をパワーアンプ５０３で増幅し、デュプレクサ５０４と同軸ケーブル８とを介してアンテナから送信する。ここでは、第１のＲＦ部５０ａの動作を説明したが、第２のＲＦ部５０ｂも同様の動作をする。
【００５１】
次に、受信系について説明する。アンテナによって受信された高周波信号は、同軸ケーブル８とデュプレクサ５０４を介して第１のＲＦ部５０ａに入力される。第１のＲＦ部５０ａは、入力された高周波信号を低雑音増幅器５０５で増幅し、ダウンコンバータ５０６でベースバンド信号に変換する。第１のＲＦ部５０ａは、ベースバンド信号をアナログ／デジタルコンバータ５０７でデジタル信号に変換し、ＣＰＲＩインタフェース５２に出力する。ＣＰＲＩインタフェース５２は、デジタル信号に変換されたベースバンド信号を光ファイバ７を介してＢＢモジュール４に伝送する。したがって、ＲＦモジュール５，６のＣＰＲＩインタフェース５２とＢＢモジュール４側のＣＰＲＩインタフェース４１との間では、光ファイバ７を介した双方向シリアル通信が行われる。
【００５２】
ＣＰＲＩインタフェース４１は、ＲＦモジュール５，６から伝送されたベースバンド信号をパラレル化し、２つのＯＦＤＭ処理部４２に出力する。ＯＦＤＭ処理部４２は、それぞれサイクリックプレフィックス除去部４２３とＦＦＴ処理部４２４とを有し、入力されたデータをサイクリックプレフィックス除去部４２３でサイクリックプレフィックスを取り除いた後、ＦＦＴ処理部４２４でＦＦＴ変換（高速フーリエ変換）し、ＳＤＭ復号部４４に出力する。２ストリームＭＩＭＯの場合は、別のアンテナに受信された信号についてもＯＦＤＭ処理部４２からＳＤＭ復号部４４に出力される。ＳＤＭ復号部４４は、これらの複数の信号をＭＩＭＯ復号し、変復調部４５に出力する。変復調部４５は、復調部４５３と誤り訂正処理部４５４とを有し、入力されたデータを復調部４５３で２値データに変換すると共に、誤り訂正処理部４５４で誤り訂正し、Ｌ２／Ｌ３処理部４６に出力する。
【００５３】
Ｌ２／Ｌ３処理部４６は、複数のベースバンド処理部４０から入力された受信データを受信処理部４６８に伝送する。受信処理部４６８は、入力された受信データが正しく受信できたか判定したり、先に送信した送信データが移動端末に正しく受信されたか否かを示す情報を取得したり、チャネルの情報を取得する。チャンネルの情報は、チャネル情報４６７に格納される。受信処理部４６８は、受信データが正しく受信できなかったと判定した場合は、正しく受信できなかったことを移動端末に伝えるデータを生成して、スケジューラ４６６を通じて送信する。一方、受信処理部４６８は、正しく受信データが受信されたと判定した場合は、正しく受信できたことを移動端末に伝えるデータを生成してスケジューラ４６６に伝えると共に、受信データを受信データバッファ４６９に保存し、通信キャリアのネットワーク側に伝送する。また、受信処理部４６８は、先に送信した送信データが正しく移動端末に受信されたか否かを示す情報を取得し、正しく受信されたと示す情報が得られた場合は、該当する送信データの送信完了をスケジューラ４６６に伝える。一方、受信処理部４６８は、送信データが移動端末で正しく受信されなかった場合は、該当する送信データを再送する要求をスケジューラ４６６に伝える。
【００５４】
本発明に係る分散アンテナシステム１は、このようなＢＢモジュール４とＲＦモジュール５，６の動作により、キャリアアグリゲーションによる通信を実現している。
【００５５】
なお、所定の通信範囲Ｓ内にある移動端末Ｍ2で通信を行う場合も、移動端末Ｍ2が属する低波帯の通信範囲内をカバーする第２アンテナ３ｂと第１アンテナ２とを用いてキャリアアグリゲーションによる通信を行う。
【００５６】
つまり、所定の通信範囲Ｓ内であれば、何処でもキャリアアグリゲーションによる通信を行うことが可能である。
【００５７】
以上要するに、本発明の分散アンテナシステム１では、各所に配置された第１アンテナ２及び第２アンテナ３をＲＦモジュール５ａ，５ｂ，６を介して１つのＢＢモジュール４に集約して接続するため、各アンテナ２，３からのベースバンド信号は、１つのＢＢモジュール４で一括して処理される。これにより、分散アンテナシステム１では、複数の周波数帯を同時に用いることができ、キャリアアグリゲーションにより通信を行うことができる。
【００５８】
また、分散アンテナシステム１は、従来の設備に対して、少なくともＢＢモジュールのＬ２／Ｌ３処理部を変更すことで実現できる。ベースバンド処理部の回路構成は従来と同じにすることができるため、ＢＢモジュール自体を交換した場合でも、コストの上昇を低減できる。したがって、本発明の分散アンテナシステム１は、現在のシステムを活かすことができ、低コストでキャリアアグリゲーションに対応することができる。
【００５９】
また、低波帯用のアンテナの通信範囲内をカバーするように高波帯用のアンテナを複数配置して分散アンテナシステム１とすることで、全ての周波数帯で効率よく周波数のアグリゲーション、即ち、キャリアアグリゲーションを実現することができ、ユーザのスループットを向上させることができる。
【００６０】
なお、本実施の形態においては、低波帯として８００ＭＨｚ帯、高波帯として２ＧＨｚ帯の２つの周波数帯を同時に用いる例を説明したが、本発明は、３つ以上の異なる周波数帯を用いたキャリアアグリゲーションにも適用することができる。
【００６１】
この場合、一番低い周波数帯を低波帯として、その低波帯の通信範囲内をカバーするように、各高波帯（例えば、１．７ＧＨｚ帯と２ＧＨｚ帯）用のアンテナを配置して分散アンテナシステムを構成すると良い。
【００６２】
このようにすることで、３つ以上の周波数帯を用いたキャリアアグリゲーションが既存設備を活かしたまま実現できる。
【符号の説明】
【００６３】
１  分散アンテナシステム
２  第１アンテナ
３  第２アンテナ
４  ＢＢモジュール
５，６  ＲＦモジュール
７  光ファイバ
４０  ベースバンド処理部
４１  ＣＰＲＩインタフェース
４２  ＯＦＤＭ処理部
４３  ＳＤＭ変換部
４４  ＳＤＭ復号部
４５  変復調部
４６  Ｌ２／Ｌ３処理部
５０  ＲＦ部
５２  ＣＰＲＩインタフェース
４２１  ＩＦＦＴ処理部
４２２  サイクリックプレフィックス付加部
４２３  サイクリックプレフィックス除去部
４２４  ＦＦＴ処理部
４５１  誤り訂正符号化部
４５２  変調部
４５３  復調部
４５４  誤り訂正処理部
４６１  送信データバッファ
４６２  優先データ
４６３  ベストエフォートデータ
４６４  送信処理部
４６５  基地局構成情報
４６６  スケジューラ
４６７  チャネル情報
４６８  受信処理部
４６９  受信データバッファ
５０１  デジタル／アナログコンバータ
５０２  アップコンバータ
５０３  パワーアンプ
５０４  デュプレクサ
５０５  低雑音増幅器
５０６  ダウンコンバータ
５０７  アナログ／デジタルコンバータ
Ｂ  基地局
Ｍ1  移動端末
Ｍ2  移動端末
Ｓ  通信範囲
【図１】
0005757412.tif 000002
【図２】
0005757412.tif 000003
【図３】
0005757412.tif 000004
【図４】
0005757412.tif 000005
【図５】
0005757412.tif 000006